(57)【特許請求の範囲】
【請求項１】
無線通信システムにおいて送信機会（ＴＸＯＰ）をスケジュールするための方法であって、
加入者局から複数送信要求（ＲＴＳＭ）フレームを受信することと、
前記ＲＴＳＭフレームに基づいて複数のＴＸＯＰについてのリソースを割り付けることと、
ＴＸＯＰ開始（ＴＸＳ）フレームと組み合わされた複数送信可（ＣＴＳＭ）フレームを送信することと、
を備える方法。
【請求項２】
ＴＸＯＰ開始（ＴＸＳ）フレームを送信すること、をさらに備える請求項１に記載の方法。
【請求項３】
ＴＸＯＰを開始すること、をさらに備える請求項１に記載の方法。
【請求項４】
前記ＴＸＳフレームは、どのようにして加入者局が前記ＴＸＳフレームの後に送信することができるか、を示す、請求項３に記載の方法。
【請求項５】
前記ＴＸＯＰは、省電力マルチポーリング（ＰＳＭＰ）によって定義される、請求項２に記載の方法。
【請求項６】
前記ＲＴＳＭフレームは、期待された伝送レートでそのデータを送信するために前記加入者局によって必要とされる合計時間を含む、請求項１に記載の方法。
【請求項７】
前記ＲＴＳＭフレームは、そのデータを送信するために前記局によって必要とされるバイトの総数を含む、請求項１に記載の方法。
【請求項８】
前記ＲＴＳＭフレームは、ＴＸＯＰの要求された数を含む、請求項１に記載の方法。
【請求項９】
記ＴＸＯＰ開始（ＴＸＳ）フレームを送信することと、ＲＴＳＭを受信せずに前ＴＸＯＰを開始することと、をさらに備える請求項１に記載の方法。
【請求項１０】
前記ＴＸＳフレームが、前記ＲＴＳＭフレームと衝突する場合に、前記ＴＸＳフレームを再送信すること、をさらに備える請求項２に記載の方法。
【請求項１１】
前記ＣＴＳＭフレームは、送信可（ＣＴＳ）フレームである、請求項１に記載の方法。
【請求項１２】
前記ＲＴＳＭフレームは、優先レベルを有する、請求項１に記載の方法。
【請求項１３】
前記ＲＴＳＭフレーム（単数または複数）に基づいて複数のＴＸＯＰについてのリソースを割り付けることは、仮想の拡張型分散チャネルアクセス（ＥＤＣＡ）をインプリメントすること、をさらに備える、請求項１に記載の方法。
【請求項１４】
前記ＲＴＳＭフレーム（単数または複数）に基づいて複数のＴＸＯＰについてのリソースを割り付けることは、非スタービングスケジューラを使用すること、をさらに備える、請求項１に記載の方法。
【請求項１５】
加入者局により無線通信システムにおいて送信機会（ＴＸＯＰ）をスケジュールするための方法であって、
複数送信要求（ＲＴＳＭ）フレームをアクセスポイント（ＡＰ）へと送信することと、
ＴＸＯＰ開始（ＴＸＳ）フレームと組み合わされた複数送信可（ＣＴＳＭ）フレームを受信することと、
を備える方法。
【請求項１６】
ＴＸＯＰ開始（ＴＸＳ）フレームを受信すること、をさらに備える請求項１５に記載の方法。
【請求項１７】
ＴＸＯＰ開始（ＴＸＳ）フレームを受信した後に開始したＴＸＯＰ間にデータを送信すること、をさらに備える請求項１５に記載の方法。
【請求項１８】
前記ＴＸＳフレームは、どのようにして前記加入者局が前記ＴＸＳフレームの後に送信することができるか、を示す、請求項１６に記載の方法。
【請求項１９】
前記ＴＸＯＰは、省電力マルチポーリング（ＰＳＭＰ）によって定義される、請求項１５に記載の方法。
【請求項２０】
前記ＲＴＳＭフレームは、期待された伝送レートでそのデータを送信するために前記加入者局によって必要とされる合計時間を含む、請求項１５に記載の方法。
【請求項２１】
前記ＲＴＳＭフレームは、そのデータを送信するために前記局によって必要とされるバイトの総数を含む、請求項１５に記載の方法。
【請求項２２】
前記ＲＴＳＭフレームは、ＴＸＯＰの要求された数を含む、請求項１５に記載の方法。
【請求項２３】
前記ＣＴＳＭフレームは、送信可（ＣＴＳ）フレームである、請求項１５に記載の方法。
【請求項２４】
前記ＲＴＳＭフレームは、優先レベルを有する、請求項１５に記載の方法。
【請求項２５】
無線通信システムにおいて送信機会（ＴＸＯＰ）をスケジュールするように構成されたアクセスポイント（ＡＰ）であって、
プロセッサと、
前記プロセッサに結合され、
加入者局から複数送信要求（ＲＴＳＭ）フレームを受信するように、前記ＲＴＳＭフレームに基づいて複数のＴＸＯＰについてのリソースを割り付けるように、そしてＴＸＯＰ開始（ＴＸＳ）フレームと組み合わされた送信可多重（ＣＴＳＭ）フレームを送信するように、構成された回路と、
を備えるアクセスポイント。
【請求項２６】
複数送信可（ＣＴＳＭ）フレームを送信するようにさらに構成されている請求項２５に記載のアクセスポイント。
【請求項２７】
ＴＸＯＰ開始（ＴＸＳ）フレームを送信するようにさらに構成されている請求項２５に記載のアクセスポイント。
【請求項２８】
ＴＸＯＰを開始するようにさらに構成されている請求項２５に記載のアクセスポイント。
【請求項２９】
前記ＴＸＳフレームは、どのようにして加入者局が前記ＴＸＳフレームの後に送信することができるか、を示す、請求項２７に記載のアクセスポイント。
【請求項３０】
ＴＸＯＰ開始（ＴＸＳ）フレームと組み合わされた送信可多重（ＣＴＳＭ）フレームを送信するようにさらに構成されている請求項２５に記載のアクセスポイント。
【請求項３１】
前記ＴＸＯＰは、省電力マルチポーリング（ＰＳＭＰ）によって定義される、請求項２７に記載のアクセスポイント。
【請求項３２】
前記ＲＴＳＭフレームは、期待された伝送レートでそのデータを送信するために前記加入者局によって必要とされる合計時間を含む、請求項２５に記載のアクセスポイント。
【請求項３３】
前記ＲＴＳＭフレームは、そのデータを送信するために前記加入者局によって必要とされるバイトの総数を含む、請求項２５に記載のアクセスポイント。
【請求項３４】
前記ＲＴＳＭフレームは、ＴＸＯＰの要求された数を含む、請求項２５に記載のアクセスポイント。
【請求項３５】
ＸＯＰ開始（ＴＸＳ）フレームを送信するように、そしてＲＴＳＭフレームを受信せずに前記ＴＸＯＰを開始するように、さらに構成されている請求項２５に記載のアクセスポイント。
【請求項３６】
前記ＴＸＳフレームが、前記ＲＴＳＭフレームと衝突する場合に、前記ＴＸＳフレームを再送信するようにさらに構成されている請求項２７に記載のアクセスポイント。
【請求項３７】
前記ＣＴＳＭフレームは、送信可（ＣＴＳ）フレームである、請求項２６に記載のアクセスポイント。
【請求項３８】
前記ＲＴＳＭフレームは、優先レベルを有する、請求項２５に記載のアクセスポイント。
【請求項３９】
前記ＲＴＳＭフレーム（単数または複数）に基づいて複数のＴＸＯＰについてのリソースを割り付けることは、仮想の拡張型分散チャネルアクセス（ＥＤＣＡ）をインプリメントすること、をさらに備える、請求項２５に記載のアクセスポイント。
【請求項４０】
前記ＲＴＳＭフレーム（単数または複数）に基づいて複数のＴＸＯＰについてのリソースを割り付けることは、非スタービングスケジューラを使用すること、をさらに備える、請求項２５に記載のアクセスポイント。
【請求項４１】
無線通信システムにおいて送信機会（ＴＸＯＰ）をスケジュールするように構成された加入者局であって、
プロセッサと、
前記プロセッサに結合され、複数送信要求（ＲＴＳＭ）フレームをアクセスポイント（ＡＰ）へと送信するように、そしてＴＸＯＰ開始（ＴＸＳ）フレームと組み合わされた複数送信可（ＣＴＳＭ）フレームを受信するように、構成された回路と、
を備える加入者局。
【請求項４２】
前記回路は、ＴＸＯＰ開始（ＴＸＳ）フレームを受信するようにさらに構成されている、請求項４１に記載の加入者局。
【請求項４３】
ＴＸＯＰ開始（ＴＸＳ）フレームを受信した後に開始したＴＸＯＰ間にデータを送信するようにさらに構成されている請求項４１に記載の加入者局。
【請求項４４】
前記ＴＸＳフレームは、どのようにして前記加入者局が前記ＴＸＳフレームの後に送信することができるか、を示す、請求項４２に記載の加入者局。
【請求項４５】
前記ＣＴＳＭフレームは、ＴＸＯＰ開始（ＴＸＳ）フレームと組み合わされる、請求項４１に記載の加入者局。
【請求項４６】
前記ＴＸＯＰは、省電力マルチポーリング（ＰＳＭＰ）によって定義される、請求項４１に記載の加入者局。
【請求項４７】
前記ＲＴＳＭフレームは、期待された伝送レートでそのデータを送信するために前記加入者局によって必要とされる合計時間を含む、請求項４１に記載の加入者局。
【請求項４８】
前記ＲＴＳＭフレームは、そのデータを送信するために前記加入者局によって必要とされるバイトの総数を含む、請求項４１に記載の加入者局。
【請求項４９】
前記ＲＴＳＭフレームは、ＴＸＯＰの要求された数を含む、請求項４１に記載の加入者局。
【請求項５０】
前記ＣＴＳＭフレームは、送信可（ＣＴＳ）フレームである、請求項４１に記載の加入者局。
【請求項５１】
前記ＲＴＳＭフレームは、優先レベルを有する、請求項４１に記載の加入者局。
【請求項５２】
無線通信システムにおいて送信機会（ＴＸＯＰ）をスケジュールするように構成された装置であって、
加入者局から複数送信要求（ＲＴＳＭ）フレームを受信するための手段と、
前記ＲＴＳＭフレームに基づいて複数のＴＸＯＰについてのリソースを割り付けるための手段と、
ＴＸＯＰ開始（ＴＸＳ）フレームと組み合わされた複数送信可（ＣＴＳＭ）フレームを送信するための手段と、
を備える装置。
【請求項５３】
無線通信システムにおいて送信機会（ＴＸＯＰ）をスケジュールするように構成された装置であって、
複数送信要求（ＲＴＳＭ）フレームをアクセスポイント（ＡＰ）へと送信するための手段と、
ＸＯＰ開始（ＴＸＳ）フレームと組み合わせられた複数送信可（ＣＴＳＭ）フレームを受信するための手段と、
を備える装置。
【請求項５４】
無線通信システムにおいて送信機会（ＴＸＯＰ）をスケジュールするためのコンピュータプログラムであって、
加入者局から複数送信要求（ＲＴＳＭ）フレームを受信するためのコードと、
前記ＲＴＳＭフレームに基づいて複数のＴＸＯＰについてのリソースを割り付けるためのコードと、
ＴＸＯＰ開始（ＴＸＳ）フレームと組み合わされた複数送信可（ＣＴＳＭ）フレームを送信するためのコードと、
を備える、コンピュータプログラム。
【請求項５５】
無線通信システムにおいて送信機会（ＴＸＯＰ）をスケジュールするためのコンピュータプログラムであって、
複数送信要求（ＲＴＳＭ）フレームをアクセスポイント（ＡＰ）へと送信するためのコードと、
ＸＯＰ開始（ＴＸＳ）フレームと組み合わせられた複数送信可（ＣＴＳＭ）フレームを受信するためのコードと、
を備える、コンピュータプログラム。
【発明の詳細な説明】
【技術分野】
【０００１】
[関連出願]
本願は、ここにおいてこの参照によって明示的に組み込まれている２００８年８月２０日に出願された「複数の送信機会においてリソースを要求し、そして割り付けるためのシステムおよび方法(Systems and Methods for Requesting and Allocating Resources in Multiple Transmission Opportunities)」という名称の米国仮特許出願第６１／０９０，３８９号の利益を主張するものである。
【０００２】
本開示は、一般に無線通信システムに関する。さらに詳細には、本開示は、複数の(multiple)送信機会(transmission opportunities)（ＴＸＯＰ）においてリソースを要求しかつ割り付けるためのシステムおよび方法に関する。
【背景技術】
【０００３】
無線通信デバイスは、消費者ニーズを満たすために、そして携帯性および便利さを改善するために、より小型に、そしてより強力になってきている。消費者は、セルラ電話、携帯型個人情報端末(personal digital assistants)（ＰＤＡ）、ラップトップコンピュータなどの無線通信デバイスに依存するようになってきている。消費者は、信頼できるサービスと、カバレージの拡大されたエリアと、増大された機能とを期待するようになってきている。無線通信デバイスは、移動局、加入者局、アクセス端末、リモート局、ユーザ端末、端末、加入者ユニット、ユーザ装置などと称されることができる。
【０００４】
無線通信システムは、いくつかのセルに対して通信を提供することができ、これらのセルのおのおのは、基地局によってサービスされることができる。基地局は、加入者局と通信する固定局とすることができる。基地局は、代わりに、アクセスポイント、あるいは何らかの他の専門用語と呼称されることもできる。
【０００５】
加入者局は、アップリンクおよびダウンリンク上の伝送により１つまたは複数の基地局と通信することができる。アップリンク（または逆方向リンク）は、加入者局から基地局への通信リンクを意味し、そしてダウンリンク（または順方向リンク）は、基地局から加入者局への通信リンクを意味する。無線通信システムは、複数の(multiple)加入者局についての通信を同時にサポートすることができる。
【０００６】
無線通信システムのリソース（例えば、帯域幅および送信パワー）は、複数の移動局の間で、共用されることができる。様々な多元接続技法が、符号分割多元接続(code division multiple access)（ＣＤＭＡ）、時分割多元接続(time division multiple access)（ＴＤＭＡ）、周波数分割多元接続(frequency division multiple access)（ＦＤＭＡ）、直交周波数分割多元接続(orthogonal frequency division multiple access)（ＯＦＤＭＡ）、単一キャリア周波数分割多元接続(single-carrier frequency division multiple access)（ＳＣ−ＦＤＭＡ）などを含めて、知られている。
【０００７】
利点は、無線通信システムのオペレーションに関連した改善された方法および装置によって実現されることができる。
【図面の簡単な説明】
【０００８】
【図１】図１は、複数の加入者局と無線電子通信しているアクセスポイントを含むシステムを示している。
【図２】図２は、競合ウィンドウおよびアップリンクＴＸＯＰの間の、アクセスポイントと複数の加入者局との間の送信スキームのためのシステムを示しており、ここで予約は、個別に各ＴＸＯＰについて行われる。
【図３】図３は、送信要求多重（ＲＴＳＭ）フレームと、送信可多重（ＣＴＳＭ）フレームとを使用した、アクセスポイントと、複数の加入者局との間の送信スキームのためのシステムを示している。
【図４】図４は、複数のＴＸＯＰにおけるリソースを加入者局に割り付けるための方法を示す流れ図である。
【図５】図５は、図４の方法に対応する手段プラス機能ブロックを示している。
【図６】図６は、複数の来るべきＴＸＯＰにおけるリソースを要求するための方法を示す流れ図である。
【図７】図７は、図６の方法に対応する手段プラス機能ブロックを示している。
【図８】図８は、ＲＴＳＭフレームの様々なコンポーネントを示すブロック図である。
【図９】図９は、無線デバイスの中で利用されることができる様々なコンポーネントを示している。
【詳細な説明】
【０００９】
無線通信システムにおいて送信機会（ＴＸＯＰ）をスケジュールするための方法が、説明される。送信要求多重(request-to-send multiple)（ＲＴＳＭ）フレームが、加入者局から受信されることができる。複数のＴＸＯＰについてのリソースが、ＲＴＳＭフレームに応じて割り付けられることができる。送信可多重(clear-to-send multiple)（ＣＴＳＭ）フレームが、送信されることができる。ＴＸＯＰ開始(TXOP start)（ＴＸＳ）フレームが、送信されることができる。ＴＸＯＰは、開始することができる。ＴＸＳフレームは、どのようにして加入者局がＴＸＳフレームの後に送信することができるか、を示すことができる。ＴＸＯＰ開始（ＴＸＳ）フレームと組み合わされた送信可多重（ＣＴＳＭ）フレームが、送信されることができる。ＴＸＯＰは、省電力マルチポーリング(power save multi-poll)（ＰＳＭＰ）によって定義されることができる。ＲＴＳＭフレームは、期待された伝送レートでそのデータを送信するために加入者局によって必要とされる合計時間(total amount of time)を含むことができる。ＲＴＳＭフレームは、そのデータを送信するためにその局によって必要とされるバイトの総数を含むことができる。
【００１０】
ＲＴＳＭフレームは、要求された数のＴＸＯＰを含むことができる。ＴＸＯＰ開始（ＴＸＳ）フレームが、送信されることができ、そしてＴＸＯＰは、ＲＴＳＭを受信せずに開始することができる。ＴＸＳフレームが、ＲＴＳＭフレームと衝突する場合、ＴＸＳフレームは、再送信されることができる。ＣＴＳＭフレームは、送信可（ＣＴＳ）フレームとすることができる。ＲＴＳＭフレームは、優先レベルを有することができる。ＲＴＳＭフレームに応じて複数のＴＸＯＰについてのリソースを割り付けることは、仮想の(virtual)拡張型分散チャネルアクセス(enhanced distributed channel access)（ＥＤＣＡ）をインプリメントすること、を含むことができる。ＲＴＳＭフレームに応じて複数のＴＸＯＰについてのリソースを割り付けることは、非スタービングスケジューラ(non-starving scheduler)を使用すること、を含むこともできる。
【００１１】
加入者局による無線通信システムにおける送信機会（ＴＸＯＰ）をスケジュールするための方法が、説明される。送信要求多重（ＲＴＳＭ）フレームが、アクセスポイント（ＡＰ）へと送信されることができる。送信可多重（ＣＴＳＭ）フレームが、受信されることができる。ＴＸＯＰ開始（ＴＸＳ）フレームもまた、受信されることができる。データは、ＴＸＯＰ間に送信されることができる。
【００１２】
無線通信システムにおいて送信機会（ＴＸＯＰ）をスケジュールするように構成されたアクセスポイント（ＡＰ）もまた、説明される。ＡＰは、プロセッサを含むことができる。ＡＰは、前記プロセッサに結合された回路を含むこともできる。回路は、加入者局から送信要求多重（ＲＴＳＭ）フレームを受信するように構成されていることができる。回路は、ＲＴＳＭフレームに応じて複数のＴＸＯＰについてのリソースを割り付けるように構成されていることもできる。アクセスポイントは、送信可多重（ＣＴＳＭ）フレームを送信するように構成されていることができる。アクセスポイントは、ＴＸＯＰ開始（ＴＸＳ）フレームを送信するように構成されることもできる。アクセスポイントは、さらに、ＴＸＯＰを開始するように構成されることもできる。
【００１３】
アクセスポイントは、さらに、ＴＸＯＰ開始（ＴＸＳ）フレームと組み合わされた送信可多重（ＣＴＳＭ）フレームを送信するように構成されることもできる。アクセスポイントは、さらに、ＴＸＯＰ開始（ＴＸＳ）フレームを送信するように、そしてＲＴＳＭフレームを受信せずにＴＸＯＰを開始するように構成されていることもできる。アクセスポイントは、ＴＸＳフレームがＲＴＳＭフレームと衝突する場合に、ＴＸＳフレームを再送信するように構成されることもできる。
【００１４】
無線通信システムにおいて送信機会（ＴＸＯＰ）をスケジュールするように構成された加入者局もまた、説明される。加入者局は、プロセッサを含むことができる。加入者局は、前記プロセッサに結合された回路を含むこともできる。回路は、送信要求多重（ＲＴＳＭ）フレームをアクセスポイント（ＡＰ）へと送信するように構成されていることができる。回路は、送信可多重（ＣＴＳＭ）フレームを受信するように構成されていることもできる。回路は、さらに、ＴＸＯＰ開始（ＴＸＳ）フレームを受信するように構成されていることもできる。加入者局は、ＴＸＯＰ間にデータを送信することができる。
【００１５】
無線通信システムにおいて送信機会（ＴＸＯＰ）をスケジュールするように構成された装置が、説明される。本装置は、加入者局から送信要求多重（ＲＴＳＭ）フレームを受信するための手段を含むことができる。本装置は、ＲＴＳＭフレームに応じて複数のＴＸＯＰについてのリソースを割り付けるための手段を含むこともできる。
【００１６】
無線通信システムにおいて送信機会（ＴＸＯＰ）をスケジュールするように構成された装置が、説明される。本装置は、送信要求多重（ＲＴＳＭ）フレームをアクセスポイント（ＡＰ）へと送信するための手段を含むことができる。本装置は、送信可多重（ＣＴＳＭ）フレームを受信するための手段を含むこともできる。
【００１７】
無線通信システムにおいて送信機会（ＴＸＯＰ）をスケジュールするためのコンピュータプログラムプロダクト(computer-program product)もまた、説明される。コンピュータプログラムプロダクトは、その上に命令を有するコンピュータ可読媒体(computer-readable medium)を含むことができる。命令は、加入者局から送信要求多重（ＲＴＳＭ）フレームを受信するためのコードを含むことができる。命令は、ＲＴＳＭフレームに応じて複数のＴＸＯＰについてのリソースを割り付けるためのコードを含むこともできる。
【００１８】
無線通信システムにおいて送信機会（ＴＸＯＰ）をスケジュールするためのコンピュータプログラムプロダクトが、説明される。コンピュータプログラムプロダクトは、その上に命令を有するコンピュータ可読媒体とすることができる。命令は、送信要求多重（ＲＴＳＭ）フレームをアクセスポイント（ＡＰ）へと送信するためのコードを含むことができる。命令は、送信可多重（ＣＴＳＭ）フレームを受信するためのコードを含むこともできる。
【００１９】
米電気電子技術者協会(Institute of Electronic and Electrical Engineers)（ＩＥＥＥ）８０２．１１作業グループ(Working Group)は、２．４ＧＨｚおよび５ＧＨｚの公共スペクトル帯域における無線ローカルエリアネットワーク(wireless local area network)（ＷＬＡＮ）コンピュータ通信についての公式規格を作成することを目的とする。ここにおいて開示される技法は、ＩＥＥＥ８０２．１１規格に従って構成されているデバイスにおいてインプリメントされることができる。
【００２０】
図１は、複数の加入者局１０４と無線電子通信しているアクセスポイント１０２を含むシステム１００を示している。アクセスポイント１０２は、基地局とすることができる。加入者局１０４は、モバイル電話、無線ネットワーキングカード(wireless networking cards)などの移動局とすることができる。
【００２１】
アクセスポイント１０２は、加入者局１０４のおのおのと電子的に通信することができる。例えば、アクセスポイント１０２は、ダウンリンク送信１１２上で電子通信を加入者局１０４へと送信することができる。同様に、加入者局１０４は、アップリンク送信１１０上で電子通信をアクセスポイント１０２へと送信することができる。加入者局１０４は、特定の加入者局１０４に向けられていない伝送をアクセスポイント１０２から受信することができる。例えば、アクセスポイント１０２は、加入者局Ｂ１０４ｂによって受信されることもできるダウンリンク送信１１２を加入者局Ａ１０４ａへと送信することができる。同様に、加入者局１０４は、他の加入者局１０４に向けられていないアップリンク送信１１０を他の加入者局１０４から受信することができる。例えば、加入者局Ｂ１０４ｂは、加入者局Ｃ１０４ｃによって受信されることもできるアップリンク送信１１０ｂをアクセスポイント１０２へと送信することができる。
【００２２】
複数の加入者局１０４は、与えられた任意の時刻に、単一のアクセスポイント１０２と電子通信していることができる。したがって、アクセスポイント１０２は、同じ時間フレーム中に複数の加入者局１０４からの伝送を受信するように設計されることができる。そのような通信は、アップリンク方向１１０の並列伝送と称されることができる。加入者局１０４は、分散チャネルアクセスを使用してアクセスポイント１０２と通信することができ、この分散チャネルアクセスは、一般的にチャネルにアクセスすべきランダムなタイミングに基づいている。そのような通信の１つの制約は、アップリンク方向１１０の並列伝送が、正確に同じ時刻に開始される必要があることである。アップリンク方向１１０の並列伝送が起こる期間は、ＴＸＯＰ（送信機会）と称されることができる。
【００２３】
図２は、競合ウィンドウおよびアップリンクＴＸＯＰ２１２の間の、アクセスポイント１０２と、複数の加入者局１０４との間の送信スキームのためのシステム２００を示しており、ここで、加入者局１０４は、ＴＸＯＰ２１２へのアクセスを要求するために送信要求(request-to-send)（ＲＴＳ）を使用する。アクセスポイント１０２は、送信可(clear-to-send)（ＣＴＳ）を送信することによりフィードバックを提供する。競合ウィンドウ２１０は、アップリンク送信が、起こることができ、そして割付けが、ＲＴＳを送信することにより待ち状態のアップリンクＴＸＯＰ２１２のために行われることができる期間である。ＴＸＯＰ２１２は、あらかじめ構成された長さを有することができる。
【００２４】
アクセスポイント１０２は、加入者局１０４からＲＴＳフレーム２０６を受信することができる。ＲＴＳフレーム２０６は、来るべきＴＸＯＰ２１２の一部または全部を要求することができる。ＴＸＯＰ２１２において必要とされるリソースの量は、あらかじめ構成され、またはＲＴＳフレーム２０６の一部分として搬送されることができる。アクセスポイント１０２は、ＴＸＯＰ２１２の要求されたリソースが、加入者局１０４に割り付けられていることを示すためにＣＴＳフレーム２０８を加入者局１０４へと送信することができる。アクセスポイント１０２は、単一のＴＸＯＰ２１２について１つまたは複数のＲＴＳフレーム２０６を受信することができる。アクセスポイント１０２は、特定のＴＸＯＰ２１２について複数の加入者局１０４からＲＴＳフレーム２０６を受信することができる。アクセスポイント１０２は、特定のＴＸＯＰ２１２の前に単一の加入者局１０４から複数のＲＴＳフレーム２０６を受信することもできる。アクセスポイント１０２は、そのような複製要求（duplicate requests）を次のＴＸＯＰ２１２へと搬送することができる。代わりに、アクセスポイント１０２は、それらの複製要求を切り捨てることもできる。
【００２５】
アクセスポイント１０２は、ＴＸＯＰ２１２が開始されていることを加入者局１０４に示すためにＴＸＯＰ開始（ＴＸＳ）フレーム２１０を送信することができる。ＴＸＳフレーム２１０は、別個のフレームとすることができる。代わりに、ＴＸＳフレーム２１０は、ＣＴＳフレーム２０８の一部分として送信されることもできる。次いで、アクセスポイント１０２は、アクセスポイント１０２が、アップリンク方向１１０の並列伝送を受信するＴＸＯＰ２１２ウィンドウを開始することができる。ＴＸＯＰ２１２の完了のすぐ後に別の競合ウィンドウが、開始されることができる。
【００２６】
図３は、送信要求多重（ＲＴＳＭ）フレーム３０６と、送信可多重（ＣＴＳＭ）フレーム３１０とを使用した、アクセスポイント１０２と、複数の加入者局１０４との間の送信スキームのためのシステム３００を示している。図２のシステム２００と同様に、その間に割付けが待ち状態のアップリンクＴＸＯＰ３１２について行われることができる競合ウィンドウが、起こることができる。
【００２７】
加入者局１０４は、複数のＴＸＯＰ３１２に対するアクセスを要求することができる。例えば、加入者局１０４は、来るべき３つのＴＸＯＰ３１２のおのおのについて割り付けられたリソースを要求することができる。図２のシステム２００において、加入者局１０４は、次のＴＸＯＰ２１２についてのリソースを要求する前に各ＴＸＯＰ２１２が完了するまで待つ必要があることになる。さらに、加入者局１０４は、追加のＲＴＳフレーム２０６を送信する必要があることになり、そしてアクセスポイント１０２は、加入者局１０４によって要求される各ＴＸＯＰ２１２について追加のＣＴＳフレーム２０８で応答することになる。
【００２８】
図３のシステム３００において、加入者局１０４は、ＲＴＳフレーム２０６の代わりにＲＴＳＭフレーム３０６をアクセスポイント１０２へと送信することができる。ＲＴＳＭフレーム３０６は、複数のＴＸＯＰ３１２についての要求を含むメッセージとすることができる。アクセスポイント１０２は、ＲＴＳＭフレーム３０６を受信し、複数の待ち状態のＴＸＯＰ３１２についての要求されたリソースを割り付け、そして複数のＴＸＯＰ３１２についてのリソースが、加入者局１０４に割り付けられていることを示すＣＴＳＭフレーム３１０を加入者局１０４へと戻すことができる。アクセスポイント１０２は、ＴＸＯＰ３１２を開始することに先立って複数の加入者局１０４からＲＴＳＭフレーム３０６を受信することができる。ＴＸＯＰ３１２を開始する前に、アクセスポイント１０２は、ＴＸＯＰ３１２が開始していることを示すＴＸＳフレーム３１４を加入者局１０４へと送信することができる。代わりに、アクセスポイント１０２は、ＣＴＳＭフレーム３１０の一部分としてＴＸＳフレーム３１４を送信することができる。ＴＸＳフレーム３１４は、どのようにして加入者局１０４がＴＸＳフレーム３１４の後に送信すべきか、を示すことができる。
【００２９】
アクセスポイント１０２が、待ち状態のＴＸＯＰ３１２の前にＲＴＳＭフレーム３０６を受信していなかった場合、アクセスポイント１０２は、ＴＸＳ３１４を送り出し、そしてＴＸＯＰ３１２を開始することができる。ＴＸＯＰ３１２のリソースは、以前のＲＴＳＭフレーム３０６を送り出している加入者局１０４に既に割り付けられている可能性がある。
【００３０】
ＴＸＳフレーム３１４が、来るべきＲＴＳＭフレーム３０６と衝突する可能性があり得る。これが起こる場合、アクセスポイント１０２は、単にＴＸＳフレーム３１４を再送信することができる。ＲＴＳＭフレーム３０６の送信側は、ＴＸＯＰ３１２がＲＴＳＭフレーム３０６を再送信した後まで待つ必要がある可能性がある。これは、ＴＸＳフレーム３１４が、ＲＴＳＭフレーム３０６よりも高い優先順位で送信されることを仮定している。同様に、ＲＴＳＭフレーム３０６は、他のトラフィックよりも高い優先レベルで、そしてＴＸＳフレーム３１４よりも高い優先レベルでさえ、送信されることができる。
【００３１】
ＴＸＯＰ３１２は、省電力マルチポーリング（ＰＳＭＰ）によって定義されることができる。ＰＳＭＰ  ＴＸＯＰにおいては、アクセスポイント１０２は、加入者局１０４が、ＴＸＯＰ３１２の一部分中にスリープすることを可能にするスケジュールを加入者局１０４のおのおのへと送信することができる。ＴＸＯＰ３１２の一部分は、並列の複数の(multiple)アップリンク送信を含むことができる。
【００３２】
図４は、複数のＴＸＯＰ３１２におけるリソースを加入者局１０４に割り付けるための方法４００を示す流れ図である。アクセスポイント１０２は、加入者局１０４から送信要求多重（ＲＴＳＭ）フレーム３０６を受信する（４０２）ことができる。次いで、アクセスポイント１０２は、受信されたＲＴＳＭフレーム３０６に応じて複数のＴＸＯＰ３１２についてのリソースを割り付ける（４０４）ことができる。アクセスポイント１０２は、送信可多重（ＣＴＳＭ）フレーム３１０を送信する（４０６）ことができる。ＣＴＳＭフレーム３１０は、割り付けられたリソースのスケジューリングに関する送信可（ＣＴＳ）フレーム２０８からの追加情報を含むことができる。代わりに、ＣＴＳＭフレーム３１０は、追加情報を含まなくてもよく、そして単にＣＴＳフレーム２０８とすることもできる。アクセスポイント１０２は、ＴＸＯＰ３１２の開始を示すＴＸＳ３１４を送信する（４０８）ことができる。ＴＸＳ３１４は、ＣＴＳＭフレーム３１０の一部分として送信されることができる。代わりに、ＴＸＳ３１４は、ＣＴＳＭフレーム３１０とは別に送信されることもできる。次いで、アクセスポイント１０２は、ＴＸＯＰ３１２を開始する（４１０）ことができる。
【００３３】
上記で説明された図４の方法４００は、図５に示される手段プラス機能ブロック５００に対応するハードウェアおよび／またはソフトウェアのコンポーネント（単数または複数）、および／またはモジュール（単数または複数）によって実行されることができる。言い換えれば、図４に示されるブロック４０２ないし４１０は、図５に示される手段プラス機能ブロック５０２ないし５１０に対応する。
【００３４】
図６は、複数の来るべきＴＸＯＰ３１２におけるリソースを要求するための方法６００を示す流れ図である。加入者局１０４は、送信要求多重（ＲＴＳＭ）フレーム３０６をＡＰ１０２へと送信する（６０２）ことができる。次いで、加入者局１０４は、ＡＰ１０２から送信可多重（ＣＴＳＭ）フレーム３１０を受信する（６０４）ことができる。次に、加入者局１０４は、１つまたは複数のＴＸＳフレーム３１４をＡＰ１０２から受信する（６０６）ことができる。図４に関連して上記で述べられるように、ＴＸＳフレーム３１４は、ＣＴＳＭ３１０の一部分として受信されることができる。次いで、加入者局１０４は、ＴＸＳフレーム３１０の中で示された割り付けられたリソースに応じてＴＸＯＰ３１２における伝送を送信する（６０８）ことができる。
【００３５】
上記で説明された図６の方法６００は、図７に示される手段プラス機能ブロック７００に対応する様々なハードウェアおよび／またはソフトウェアのコンポーネント（単数または複数）、および／またはモジュール（単数または複数）によって実行されることができる。言い換えれば、図６に示されるブロック６０２ないし６０８は、図７に示される手段プラス機能ブロック７０２ないし７０８に対応する。
【００３６】
図８は、ＲＴＳＭフレーム８０２の様々なコンポーネントを示すブロック図である。ＲＴＳＭフレーム８０２は、来るべきＴＸＯＰ３１２において必要とされる時間８０４、来るべきＴＸＯＰ３１２において必要とされるバイト８０６、ＴＸＯＰ３１２の要求された数８０８、および／またはＲＴＳＭの優先レベル８１４を含むことができる。ＲＴＳＭフレーム８０２は、連続ＴＸＯＰについての要求８１０をさらに含むことができ、この要求は、ＡＰ１０２が、すべての来るべきＴＸＯＰ３１２における加入者局１０４についてのリソースを割り付けることを要求する。ＲＴＳＭ８０２は、連続ＴＸＯＰ３１２を停止する要求８１２を含むこともでき、この要求は、ＡＰ１０２が、すべての来るべきＴＸＯＰ３１２において加入者局１０４についてのリソースを割り付けることを停止することを要求する。要求されたリソースは、加入者局１０４において現在バッファされているデータに基づいたもの、または加入者局１０４において近い将来にバッファされることが期待されるデータに基づいたものとすることができる。要求されたリソースは、ＭＡＣ上のプロトコルレイヤから（すなわち、アプリケーションから）の明示的な信号無しに、ＭＡＣによって決定されることができる。
【００３７】
ＡＰ１０２が、来るべきＴＸＯＰ３１２において使用可能なリソースを有するよりも多くの要求を受信するときに、ＡＰ１０２は、どの加入者局１０４が、ＴＸＯＰ３１２中にリソースを割り当てられるか、そしてどれが割り当てられないか、を決定するためにスケジューラを使用することができる。スケジューラの例は、ラウンドロビンスケジューラ(round robin scheduler)、あるいは仮想の拡張型分散チャネルアクセス（ＥＤＣＡ）である。仮想のＥＤＣＡは、ＥＤＣＡの動作をシミュレートし、そしてそれに応じてリソースを割り当てる。仮想のＥＤＣＡスケジューラの使用は、様々な加入者局１０４に対するＴＸＯＰ時間の相対的優先順位付けが、加入者局１０４がＥＤＣＡを使用して個別に媒体アクセスについて競合していたときと同じであるという利点を有する。
【００３８】
図９は、無線デバイス９０１内に含まれることができるある種のコンポーネントを示している。無線デバイス９０１は、移動局または基地局とすることができる。
【００３９】
無線デバイス９０１は、プロセッサ９０３を含んでいる。プロセッサ９０３は、汎用のシングルチップまたはマルチチップのマイクロプロセッサ（例えば、ＡＲＭ）、専用マイクロプロセッサ（例えば、デジタル信号プロセッサ(digital signal processor)（ＤＳＰ））、マイクロコントローラ、プログラマブルゲートアレイなどとすることができる。プロセッサ９０３は、中央演算処理装置(central processing unit)（ＣＰＵ）と称されることができる。ただ単一のプロセッサ９０３が、図９の無線デバイス９０１の中に示されているが、代替コンフィギュレーションにおいては、プロセッサの組合せ（例えば、ＡＲＭおよびＤＳＰ）が、使用されることができる。
【００４０】
無線デバイス９０１は、メモリ９０５も含んでいる。メモリ９０５は、電子情報を記憶することができる任意の電子コンポーネントとすることができる。メモリ９０５は、ランダムアクセスメモリ(random access memory)（ＲＡＭ）、リードオンリーメモリ(read only memory)（ＲＯＭ）、磁気ディスクストレージ媒体、光ストレージ媒体、ＲＡＭの中のフラッシュメモリデバイス、プロセッサと共に含まれるオンボードメモリ、ＥＰＲＯＭメモリ、ＥＥＰＲＯＭメモリ、レジスタなど、として、それらの組合せを含めて、実施されることができる。
【００４１】
データ９０７と、命令９０９とは、メモリ９０５に記憶されることができる。命令９０９は、ここにおいて開示される方法をインプリメントするようにプロセッサ９０３によって実行可能とすることができる。命令９０９を実行することは、メモリ９０５に記憶されるデータ９０７の使用を伴う可能性がある。
【００４２】
無線デバイス９０１はまた、無線デバイス９０１とリモートロケーションとの間の信号の送信および受信を可能にするトランスミッタ９１１およびレシーバ９１３を含むこともできる。トランスミッタ９１１と、レシーバ９１３とは、トランシーバ９１５と一括して称されることができる。アンテナ９１７は、トランシーバ９１５に電気的に結合されることができる。無線デバイス９０１は、複数のトランスミッタ、複数のレシーバ、複数のトランシーバ、および／または複数のアンテナを含むこともできる（図示せず）。
【００４３】
無線デバイス９０１の様々なコンポーネントは、１つまたは複数のバスによって一緒に結合されることができ、これらのバスは、電力バス、制御信号バス、ステータス信号バス、データバスなどを含むことができる。明確にするために、様々なバスは、図９において、バスシステム９１９として示される。
【００４４】
ここにおいて説明される技法は、直交多重化スキームに基づいている通信システムを含めて、様々な通信システムのために使用されることができる。そのような通信システムの例は、直交周波数分割多元接続（ＯＦＤＭＡ）システム、単一キャリア周波数分割多元接続（ＳＣ−ＦＤＭＡ）システムなどを含む。ＯＦＤＭＡシステムは、直交周波数分割多重化(orthogonal frequency division multiplexing)（ＯＦＤＭ）を利用し、このＯＦＤＭは、全体のシステム帯域幅を複数の直交サブキャリアへと分割する変調技法である。これらのサブキャリアは、トーン、ビン(bins)などと呼ばれることもできる。ＯＦＤＭでは、各サブキャリアは、データで独立に変調されることができる。ＳＣ−ＦＤＭＡシステムは、システム帯域幅を通して分散されるサブキャリア上で送信するためのインターリーブされたＦＤＭＡ(interleaved FDMA)（ＩＦＤＭＡ）、隣接サブキャリアのブロック上で送信するための局所化されたＦＤＭＡ(localized FDMA)（ＬＦＤＭＡ）、または隣接サブキャリアの複数のブロック上で送信するための拡張ＦＤＭＡ(enhanced FDMA)（ＥＦＤＭＡ）を利用することができる。一般に、変調シンボルは、ＯＦＤＭでは周波数ドメインの中で、そしてＳＣ−ＦＤＭＡではタイムドメインの中で送信される。
【００４５】
用語「決定すること(determining)」は、多種多様なアクションを包含し、そしてそれ故に、「決定すること」は、算出すること、計算すること、処理すること、導き出すこと、調査すること、調べること（例えば、テーブル、データベース、または別のデータ構造の中で調べること）、確認することなどを含むことができる。また、「決定すること」は、受信すること（例えば、情報を受信すること）、アクセスすること（例えば、メモリの中のデータにアクセスすること）などを含むこともできる。また、「決定すること」は、解決すること、選択すること、選ぶこと、確立することなどを含むこともできる。
【００４６】
熟語「に基づいて(based on)」は、それ以外の方法で明示的に指定されない限り、「だけに基づいて(based only on)」を意味してはいない。言い換えれば、熟語「に基づいて」は、「だけに基づいて」と、「に少なくとも基づいて(based at least on)」との両方を説明する。
【００４７】
用語「プロセッサ」は、汎用プロセッサ、中央演算処理装置（ＣＰＵ）、マイクロプロセッサ、デジタル信号プロセッサ（ＤＳＰ）、コントローラ、マイクロコントローラ、状態機械などを包含するように広く解釈されるべきである。いくつかの状況の下では、「プロセッサ」は、特定用途向け集積回路(application specific integrated circuit)（ＡＳＩＣ）、プログラマブル論理デバイス(programmable logic device)（ＰＬＤ）、フィールドプログラマブルゲートアレイ(field programmable gate array)（ＦＰＧＡ）などを意味することができる。用語「プロセッサ」は、処理デバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーション、を意味することができる。
【００４８】
用語「メモリ」は、電子情報を記憶することができる任意の電子コンポーネントを包含するように広く解釈されるべきである。用語メモリは、ランダムアクセスメモリ（ＲＡＭ）、リードオンリーメモリ（ＲＯＭ）、不揮発性ランダムアクセスメモリ(non-volatile random access memory)（ＮＶＲＡＭ）、プログラマブルリードオンリーメモリ(programmable read-only memory)（ＰＲＯＭ）、消去可能プログラマブルリードオンリーメモリ(erasable programmable read only memory)（ＥＰＲＯＭ）、電気的消去可能ＰＲＯＭ(electrically erasable PROM)（ＥＥＰＲＯＭ）、フラッシュメモリ、磁気または光のデータストレージ、レジスタなど、様々なタイプのプロセッサ可読媒体を意味することができる。プロセッサが、メモリから情報を読み取り、かつ／またはメモリに情報を書き込むことができる場合に、メモリは、プロセッサと電子通信していると言われる。プロセッサと一体になったメモリは、プロセッサと電子通信している。
【００４９】
用語「命令」と「コード」とは、任意のタイプのコンピュータ可読ステートメント（単数または複数）を含むように、広く解釈されるべきである。例えば、用語「命令」と「コード」とは、１つまたは複数のプログラム、ルーチン、サブルーチン、ファンクション、プロシージャなどを意味することができる。「命令」と「コード」とは、単一のコンピュータ可読ステートメント、または多数のコンピュータ可読ステートメントを備えることができる。
【００５０】
ここにおいて説明される機能は、ハードウェア、ソフトウェア、ファームウェア、またはそれらの任意の組合せの形でインプリメントされることができる。ソフトウェアの形でインプリメントされる場合、機能は、コンピュータ可読媒体上に１つまたは複数の命令として記憶されることができる。用語「コンピュータ可読媒体」は、コンピュータによってアクセスされることができる使用可能な任意の媒体を意味する。例として、限定するものではないが、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコードを搬送し、または記憶するために使用されることができ、そしてコンピュータによってアクセスされることができる他の任意の媒体、を備えることができる。ここにおいて使用されるようなディスク(Disk)およびディスク(disc)は、コンパクトディスク（ＣＤ）、レーザーディスク(登録商標)、光ディスク(optical disc)、デジタル多用途ディスク（ＤＶＤ）、フロッピー（登録商標）ディスク、およびブルーレイ(Blu-ray)（登録商標）ディスク(disc)を含み、ここでディスク(disks)は通常、データを磁気的に再生するが、ディスク(discs)は、レーザを用いて光学的にデータを再生する。
【００５１】
ソフトウェアまたは命令は、伝送媒体上を送信されることもできる。例えば、ソフトウェアが、同軸ケーブル、光ファイバケーブル、ツイストペア、デジタル加入者回線（ＤＳＬ）、または赤外線、無線、マイクロ波などの無線技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などの無線技術は、伝送媒体の定義の中に含まれる。
【００５２】
ここにおいて開示される方法は、説明された方法を達成するための１つまたは複数のステップまたはアクションを備える。方法のステップおよび／またはアクションは、特許請求の範囲についての範囲を逸脱することなく互いに交換されることができる。言い換えれば、ステップまたはアクションの特定の順序が、説明されている方法の適切なオペレーションのために必要とされない限り、特定のステップおよび／またはアクションの順序および／または使用は、特許請求の範囲についての範囲を逸脱することなく修正されることができる。
【００５３】
さらに、図４および６によって示されるものなど、ここにおいて説明される方法および技法を実行するためのモジュール、および／または他の適切な手段は、ダウンロードされ、かつ／またはそれ以外の方法でデバイスによって取得されることができることを理解すべきである。例えば、デバイスは、ここにおいて説明される方法を実行するための手段の転送を容易にするために、サーバに結合されることができる。代わりに、ここにおいて説明される様々な方法は、デバイスが、ストレージ手段をデバイスに結合し、または提供するとすぐに様々な方法を取得することができるように、ストレージ手段（例えば、ランダムアクセスメモリ（ＲＡＭ）、リードオンリーメモリ（ＲＯＭ）、コンパクトディスク（ＣＤ）やフロッピー（登録商標）ディスクなどの物理ストレージ媒体など）を経由して提供されることができる。さらに、ここにおいて説明される方法および技法をデバイスに対して提供するための他の適切な任意の技法が、利用されることができる。
【００５４】
特許請求の範囲は、上記に例示される正確なコンフィギュレーションおよびコンポーネントだけに限定されるものでないことを理解すべきである。様々な修正、変更、および変形が、特許請求の範囲についての範囲を逸脱することなく、ここにおいて説明されるシステム、方法、および装置の構成、オペレーション、および詳細において行われることができる。
下記に、出願時の請求項１−５８に対応する記載を付記１−５８として表記する。
付記１
無線通信システムにおいて送信機会（ＴＸＯＰ）をスケジュールするための方法であって、
加入者局から送信要求多重（ＲＴＳＭ）フレームを受信することと、
前記ＲＴＳＭフレームに基づいて複数のＴＸＯＰについてのリソースを割り付けることと、
を備える方法。
付記２
送信可多重（ＣＴＳＭ）フレームを送信すること、をさらに備える付記１に記載の方法。
付記３
ＴＸＯＰ開始（ＴＸＳ）フレームを送信すること、をさらに備える付記１に記載の方法。
付記４
ＴＸＯＰを開始すること、をさらに備える付記１に記載の方法。
付記５
前記ＴＸＳフレームは、どのようにして加入者局が前記ＴＸＳフレームの後に送信することができるか、を示す、付記３に記載の方法。
付記６
ＴＸＯＰ開始（ＴＸＳ）フレームと組み合わされた送信可多重（ＣＴＳＭ）フレームを送信すること、をさらに備える付記１に記載の方法。
付記７
前記ＴＸＯＰは、省電力マルチポーリング（ＰＳＭＰ）によって定義される、付記３に記載の方法。
付記８
前記ＲＴＳＭフレームは、期待された伝送レートでそのデータを送信するために前記加入者局によって必要とされる合計時間を含む、付記１に記載の方法。
付記９
前記ＲＴＳＭフレームは、そのデータを送信するために前記局によって必要とされるバイトの総数を含む、付記１に記載の方法。
付記１０
前記ＲＴＳＭフレームは、ＴＸＯＰの要求された数を含む、付記１に記載の方法。
付記１１
ＴＸＯＰ開始（ＴＸＳ）フレームを送信することと、ＲＴＳＭを受信せずに前記ＴＸＯＰを開始することと、をさらに備える付記１に記載の方法。
付記１２
前記ＴＸＳフレームが、前記ＲＴＳＭフレームと衝突する場合に、前記ＴＸＳフレームを再送信すること、をさらに備える付記３に記載の方法。
付記１３
前記ＣＴＳＭフレームは、送信可（ＣＴＳ）フレームである、付記２に記載の方法。
付記１４
前記ＲＴＳＭフレームは、優先レベルを有する、付記１に記載の方法。
付記１５
前記ＲＴＳＭフレーム（単数または複数）に基づいて複数のＴＸＯＰについてのリソースを割り付けることは、仮想の拡張型分散チャネルアクセス（ＥＤＣＡ）をインプリメントすること、をさらに備える、付記１に記載の方法。
付記１６
前記ＲＴＳＭフレーム（単数または複数）に基づいて複数のＴＸＯＰについてのリソースを割り付けることは、非スタービングスケジューラを使用すること、をさらに備える、付記１に記載の方法。
付記１７
加入者局により無線通信システムにおいて送信機会（ＴＸＯＰ）をスケジュールするための方法であって、
送信要求多重（ＲＴＳＭ）フレームをアクセスポイント（ＡＰ）へと送信することと、
送信可多重（ＣＴＳＭ）フレームを受信することと、
を備える方法。
付記１８
ＴＸＯＰ開始（ＴＸＳ）フレームを受信すること、をさらに備える付記１７に記載の方法。
付記１９
ＴＸＯＰ開始（ＴＸＳ）フレームを受信した後に開始したＴＸＯＰ間にデータを送信すること、をさらに備える付記１７に記載の方法。
付記２０
前記ＴＸＳフレームは、どのようにして前記加入者局が前記ＴＸＳフレームの後に送信することができるか、を示す、付記１８に記載の方法。
付記２１
前記ＣＴＳＭは、ＴＸＯＰ開始（ＴＸＳ）フレームと組み合わされる、付記１７に記載の方法。
付記２２
前記ＴＸＯＰは、省電力マルチポーリング（ＰＳＭＰ）によって定義される、付記１７に記載の方法。
付記２３
前記ＲＴＳＭフレームは、期待された伝送レートでそのデータを送信するために前記加入者局によって必要とされる合計時間を含む、付記１７に記載の方法。
付記２４
前記ＲＴＳＭフレームは、そのデータを送信するために前記局によって必要とされるバイトの総数を含む、付記１７に記載の方法。
付記２５
前記ＲＴＳＭフレームは、ＴＸＯＰの要求された数を含む、付記１７に記載の方法。
付記２６
前記ＣＴＳＭフレームは、送信可（ＣＴＳ）フレームである、付記１７に記載の方法。
付記２７
前記ＲＴＳＭフレームは、優先レベルを有する、付記１７に記載の方法。
付記２８
無線通信システムにおいて送信機会（ＴＸＯＰ）をスケジュールするように構成されたアクセスポイント（ＡＰ）であって、
プロセッサと、
前記プロセッサに結合され、
加入者局から送信要求多重（ＲＴＳＭ）フレームを受信するように、そして
前記ＲＴＳＭフレームに基づいて複数のＴＸＯＰについてのリソースを割り付けるように、構成された
回路と、
を備えるアクセスポイント。
付記２９
送信可多重（ＣＴＳＭ）フレームを送信するようにさらに構成されている付記２８に記載のアクセスポイント。
付記３０
ＴＸＯＰ開始（ＴＸＳ）フレームを送信するようにさらに構成されている付記２８に記載のアクセスポイント。
付記３１
ＴＸＯＰを開始するようにさらに構成されている付記２８に記載のアクセスポイント。
付記３２
前記ＴＸＳフレームは、どのようにして加入者局が前記ＴＸＳフレームの後に送信することができるか、を示す、付記３０に記載のアクセスポイント。
付記３３
ＴＸＯＰ開始（ＴＸＳ）フレームと組み合わされた送信可多重（ＣＴＳＭ）フレームを送信するようにさらに構成されている付記２８に記載のアクセスポイント。
付記３４
前記ＴＸＯＰは、省電力マルチポーリング（ＰＳＭＰ）によって定義される、付記３０に記載のアクセスポイント。
付記３５
前記ＲＴＳＭフレームは、期待された伝送レートでそのデータを送信するために前記加入者局によって必要とされる合計時間を含む、付記２８に記載のアクセスポイント。
付記３６
前記ＲＴＳＭフレームは、そのデータを送信するために前記加入者局によって必要とされるバイトの総数を含む、付記２８に記載のアクセスポイント。
付記３７
前記ＲＴＳＭフレームは、ＴＸＯＰの要求された数を含む、付記２８に記載のアクセスポイント。
付記３８
ＸＯＰ開始（ＴＸＳ）フレームを送信するように、そしてＲＴＳＭフレームを受信せずに前記ＴＸＯＰを開始するように、さらに構成されている付記２８に記載のアクセスポイント。
付記３９
前記ＴＸＳフレームが、前記ＲＴＳＭフレームと衝突する場合に、前記ＴＸＳフレームを再送信するようにさらに構成されている付記３０に記載のアクセスポイント。
付記４０
前記ＣＴＳＭフレームは、送信可（ＣＴＳ）フレームである、付記２９に記載のアクセスポイント。
付記４１
前記ＲＴＳＭフレームは、優先レベルを有する、付記２８に記載のアクセスポイント。
付記４２
前記ＲＴＳＭフレーム（単数または複数）に基づいて複数のＴＸＯＰについてのリソースを割り付けることは、仮想の拡張型分散チャネルアクセス（ＥＤＣＡ）をインプリメントすること、をさらに備える、付記２８に記載のアクセスポイント。
付記４３
前記ＲＴＳＭフレーム（単数または複数）に基づいて複数のＴＸＯＰについてのリソースを割り付けることは、非スタービングスケジューラを使用すること、をさらに備える、付記２８に記載のアクセスポイント。
付記４４
無線通信システムにおいて送信機会（ＴＸＯＰ）をスケジュールするように構成された加入者局であって、
プロセッサと、
前記プロセッサに結合され、
送信要求多重（ＲＴＳＭ）フレームをアクセスポイント（ＡＰ）へと送信するように、そして
送信可多重（ＣＴＳＭ）フレームを受信するように、構成された
回路と、
を備える加入者局。
付記４５
前記回路は、ＴＸＯＰ開始（ＴＸＳ）フレームを受信するようにさらに構成されている、付記４４に記載の加入者局。
付記４６
ＴＸＯＰ開始（ＴＸＳ）フレームを受信した後に開始したＴＸＯＰ間にデータを送信するようにさらに構成されている付記４４に記載の加入者局。
付記４７
前記ＴＸＳフレームは、どのようにして前記加入者局が前記ＴＸＳフレームの後に送信することができるか、を示す、付記４５に記載の加入者局。
付記４８
前記ＣＴＳＭフレームは、ＴＸＯＰ開始（ＴＸＳ）フレームと組み合わされる、付記４４に記載の加入者局。
付記４９
前記ＴＸＯＰは、省電力マルチポーリング（ＰＳＭＰ）によって定義される、付記４４に記載の加入者局。
付記５０
前記ＲＴＳＭフレームは、期待された伝送レートでそのデータを送信するために前記加入者局によって必要とされる合計時間を含む、付記４４に記載の加入者局。
付記５１
前記ＲＴＳＭフレームは、そのデータを送信するために前記加入者局によって必要とされるバイトの総数を含む、付記４４に記載の加入者局。
付記５２
前記ＲＴＳＭフレームは、ＴＸＯＰの要求された数を含む、付記４４に記載の加入者局。
付記５３
前記ＣＴＳＭフレームは、送信可（ＣＴＳ）フレームである、付記４４に記載の加入者局。
付記５４
前記ＲＴＳＭフレームは、優先レベルを有する、付記４４に記載の加入者局。
付記５５
無線通信システムにおいて送信機会（ＴＸＯＰ）をスケジュールするように構成された装置であって、
加入者局から送信要求多重（ＲＴＳＭ）フレームを受信するための手段と、
前記ＲＴＳＭフレームに基づいて複数のＴＸＯＰについてのリソースを割り付けるための手段と、
を備える装置。
付記５６
無線通信システムにおいて送信機会（ＴＸＯＰ）をスケジュールするように構成された装置であって、
送信要求多重（ＲＴＳＭ）フレームをアクセスポイント（ＡＰ）へと送信するための手段と、
送信可多重（ＣＴＳＭ）フレームを受信するための手段と、
を備える装置。
付記５７
無線通信システムにおいて送信機会（ＴＸＯＰ）をスケジュールするためのコンピュータプログラムプロダクトであって、
その上に命令を有するコンピュータ可読媒体を備え、
前記命令は、
加入者局から送信要求多重（ＲＴＳＭ）フレームを受信するためのコードと、
前記ＲＴＳＭフレームに基づいて複数のＴＸＯＰについてのリソースを割り付けるためのコードと、
を備える、コンピュータプログラムプロダクト。
付記５８
無線通信システムにおいて送信機会（ＴＸＯＰ）をスケジュールするためのコンピュータプログラムプロダクトであって、
その上に命令を有するコンピュータ可読媒体を備え、
前記命令は、
送信要求多重（ＲＴＳＭ）フレームをアクセスポイント（ＡＰ）へと送信するためのコードと、
送信可多重（ＣＴＳＭ）フレームを受信するためのコードと、
を備える、コンピュータプログラムプロダクト。
【図１】
0005384644.tif 000002
【図２】
0005384644.tif 000003
【図３】
0005384644.tif 000004
【図４】
0005384644.tif 000005
【図５】
0005384644.tif 000006
【図６】
0005384644.tif 000007
【図７】
0005384644.tif 000008
【図８】
0005384644.tif 000009
【図９】
0005384644.tif 000010